(57)【要約】【課題】  本体から引出し自在の引出し部材内にリフトアップトレイを備え、それに積層された用紙をピックアップローラが取出し、捌きローラを介して１枚ずつ本体側へ給送することで、用紙の補給やジャム処理などが行えるようにした給紙装置において、用紙の破断を未然に防止し、ジャムを生じた用紙を確実に取り除くことができるようにする。【解決手段】  リフトアップトレイ５は、ワイヤ１２がプーリ１４に巻上げられることによって上昇するようになっており、そのプーリ１４は連結部材１５，１６を介して、画像形成装置本体側のモータ１７によって駆動される。ジャム処理のために引出し部材４を引出すと、連結部材１５，１６が外れ、リフトアップトレイ５が下降する。このとき、プーリ１４の回転を、プーリ３１，３２およびベルト３３を介して捌きローラ８に伝達して逆転させる。したがって、ジャム処理時には、本体側へ給送されていた用紙が引き戻される。【選択図】      図１
2007022787.tif 000002
【特許請求の範囲】
【請求項１】
本体から引出し自在の引出し部材を有し、その引出し部材内には、該引出し部材を前記本体内に収納した状態で連結部材を介して前記本体側からの動力を受けて上昇するリフトアップトレイを備え、該リフトアップトレイに積層して収納された用紙をピックアップローラが取出し、捌きローラを介して１枚ずつ前記本体側へ給送し、前記引出し部材を本体から引出すことで前記連結部材が解放し、前記リフトアップトレイが自重で下降するようにした給紙装置において、
前記引出し部材側の連結部材に前記捌きローラを連動させ、前記リフトアップトレイの下降時に前記捌きローラを逆転させる連動部材を設けることを特徴とする給紙装置。
【請求項２】
前記捌きローラを支持する支持部材は前記引出し部材上で上昇方向にバイアスされて昇降変位自在に設けられており、前記支持部材とリフトアップトレイとの間には、該リフトアップトレイの最下降位置の手前から係合して前記支持部材を引き下げる係合部材が設けられていることを特徴とする請求項１記載の給紙装置。
【請求項３】
前記請求項１または２記載の給紙装置を備えることを特徴とする画像形成装置。
【請求項４】
前記捌きローラで取込まれた用紙は、縦搬送路を介して画像形成部へ給送され、その縦搬送路を挟んで、前記リフトアップトレイと反対側の外部には大容量トレイが増設可能であることを特徴とする請求項３記載の画像形成装置。
【発明の詳細な説明】
【技術分野】
【０００１】
本発明は、給紙装置およびそれを備える画像形成装置に関し、特にジャム処理のための構成に関する。
【背景技術】
【０００２】
複写機などの画像形成装置に用いられる給紙装置において、前記ジャム処理のための構成として、特許文献１には、ジャムが発生すると、半月のピックアップローラをホームポジションまで回し続け、圧接したままで停止しないようにすることで、ジャム処理を容易にした給紙装置が記載されている。
【０００３】
また、特許文献２には、排紙カバーの操作に連動してレジストローラの圧を解除することでジャム処理を容易にした電子写真記録装置が記載されている。
【特許文献１】特開平６−２０６６４６号公報
【特許文献２】特開平６−９０９８号公報
【発明の開示】
【発明が解決しようとする課題】
【０００４】
上述の従来技術は、いずれもローラの圧を解除することで、ジャムを生じた用紙が破断することなく、引出せるようにしたものである。したがって、側カバーを開けてジャム処理を行うような場合には有効であるが、本体から用紙トレイを引出してジャム処理を行う場合には、用紙がトレイから飛出したままで引出すことになり、用紙が引出しの周囲に衝突したりして、依然として破断する可能性がある。破断が生じ、紙片の一部が取り除けずに本体内に残ってしまうと、繰返しジャムが生じてしまう。また、僅かなスリップで給送不良になるなどして、ジャムが生じた時点では再利用可能な用紙も、引出し時に皺になって、使えなくなってしまう。
【０００５】
さらにまた、前記特許文献１の手法は、半月ローラにしか適用できず、少しコストが高くなるが、滑りが少なく、高速機に好適な全周ローラには適用できないという問題がある。
【０００６】
本発明の目的は、用紙の破断を未然に防止し、ジャムを生じた用紙を確実に取り除くことができる給紙装置およびそれを備える画像形成装置を提供することである。
【課題を解決するための手段】
【０００７】
本発明の給紙装置は、本体から引出し自在の引出し部材を有し、その引出し部材内には、該引出し部材を前記本体内に収納した状態で連結部材を介して前記本体側からの動力を受けて上昇するリフトアップトレイを備え、該リフトアップトレイに積層して収納された用紙をピックアップローラが取出し、捌きローラを介して１枚ずつ前記本体側へ給送し、前記引出し部材を本体から引出すことで前記連結部材が解放し、前記リフトアップトレイが自重で下降するようにした給紙装置において、前記引出し部材側の連結部材に前記捌きローラを連動させ、前記リフトアップトレイの下降時に前記捌きローラを逆転させる連動部材を設けることを特徴とする。
【０００８】
上記の構成によれば、画像形成装置などで使用され、本体から引出し自在の引出し部材を有し、その引出し部材内には、該引出し部材を前記本体内に収納した状態で連結部材を介して前記本体側からの動力を受けて上昇するリフトアップトレイを備え、該リフトアップトレイに積層して収納された用紙をピックアップローラが取出し、捌きローラを介して１枚ずつ前記本体側へ給送し、前記引出し部材を本体から引出すことで前記連結部材が解放し、前記リフトアップトレイが自重で下降することで、用紙の補給やジャム処理などが行えるようにした給紙装置において、前記引出し部材側の連結部材に前記捌きローラを連動させ、前記リフトアップトレイの下降時に前記捌きローラを逆転させる連動部材を設ける。
【０００９】
したがって、ジャム処理時には、本体側へ給送されていた用紙が、引出し部材の引出しに伴うリフトアップトレイの下降による捌きローラの逆転によって、該リフトアップトレイ側に引き戻されて捌きローラから外れるので、用紙の破断を未然に防止し、ジャムを生じた用紙を確実に取り除くことができる。
【００１０】
また、本発明の給紙装置では、前記捌きローラを支持する支持部材は前記引出し部材上で上昇方向にバイアスされて昇降変位自在に設けられており、前記支持部材とリフトアップトレイとの間には、該リフトアップトレイの最下降位置の手前から係合して前記支持部材を引き下げる係合部材が設けられていることを特徴とする。
【００１１】
上記の構成によれば、前記捌きローラの逆転によって用紙をリフトアップトレイ側に引き戻しても、本体側へ入り込んでいた用紙先端が皺になるなどして捌きローラで引っ掛かる可能性がある場合、リフトアップトレイの最下降位置の手前から係合部材が前記捌きローラを支持する支持部材に係合して前記支持部材を引き下げる。
【００１２】
したがって、リフトアップトレイが最下降位置に下降した状態では、捌きローラの圧力は解除されており、用紙を確実にリフトアップトレイ内に落とし込むことができる。
【００１３】
さらにまた、本発明の画像形成装置は、前記の給紙装置を備えることを特徴とする。
【００１４】
上記の構成によれば、用紙の破れを未然に防止し、ジャムを生じた用紙を確実に取り除くことができる画像形成装置を実現することができる。
【００１５】
また、本発明の画像形成装置は、前記捌きローラで取込まれた用紙は、縦搬送路を介して画像形成部へ給送され、その縦搬送路を挟んで、前記リフトアップトレイと反対側の外部には大容量トレイが増設可能であることを特徴とする。
【００１６】
上記の構成によれば、画像形成装置の内部に前記リフトアップトレイを備え、そのリフトアップトレイと外部に設けた大容量トレイとで縦搬送路を共有する構成において、上述のようにジャムが生じた場合は用紙をリフトアップトレイ側に引き戻すことによって、前記縦搬送路には用紙は残らず、側扉を開けてジャム処理を行う必要がなくなり、大容量トレイを横に増設している場合に好適である。
【発明の効果】
【００１７】
本発明の給紙装置は、以上のように、画像形成装置などで使用され、本体から引出し自在の引出し部材を有し、その引出し部材内には、該引出し部材を前記本体内に収納した状態で連結部材を介して前記本体側からの動力を受けて上昇するリフトアップトレイを備え、該リフトアップトレイに積層して収納された用紙をピックアップローラが取出し、捌きローラを介して１枚ずつ前記本体側へ給送し、前記引出し部材を本体から引出すことで前記連結部材が解放し、前記リフトアップトレイが自重で下降することで、用紙の補給やジャム処理などが行えるようにした給紙装置において、前記引出し部材側の連結部材に前記捌きローラを連動させ、前記リフトアップトレイの下降時に前記捌きローラを逆転させる連動部材を設ける。
【００１８】
それゆえ、ジャム処理時には、本体側へ給送されていた用紙が、引出し部材の引出しに伴うリフトアップトレイの下降による捌きローラの逆転によって、該リフトアップトレイ側に引き戻されて捌きローラから外れるので、用紙の破断を未然に防止し、ジャムを生じた用紙を確実に取り除くことができる。
【００１９】
さらにまた、本発明の画像形成装置は、以上のように、前記の給紙装置を備える。
【００２０】
それゆえ、用紙の破れを未然に防止し、ジャムを生じた用紙を確実に取り除くことができる画像形成装置を実現することができる。
【発明を実施するための最良の形態】
【００２１】
［実施の形態１］
図１は本発明の実施の一形態に係る給紙装置１の構成を示す斜視図であり、図２はその一部分を拡大して示す斜視図であり、図３はその給紙装置１の一部分の断面図であり、図４はその給紙装置１を搭載する画像形成装置２の正面図である。この給紙装置１の引出し部材４は、画像形成装置２の本体３から前方へ引出し自在となっており、引出すことで、用紙の補給やジャム処理などが行われる。前記引出し部材４内には、前記引出し部材４を本体３内に収納しているときには上昇し、本体３から引出したときには下降するリフトアップトレイ５が設けられており、該リフトアップトレイ５に積層して収納された用紙（図１では省略、図３参照）６をピックアップローラ７が取出し、捌きローラ８を介して１枚ずつ前記本体３側へ給送するようになっている。
【００２２】
この給紙装置１では、同じ引出し部材４上に、２つのリフトアップトレイ５を備えているけれども、１つであってもよく、またさらに多く設けられていてもよく、２つのリフトアップトレイ５には相互に異なるサイズの用紙が収納されてもよい。２つのリフトアップトレイ５において、同一の構成には同一の参照符号を付して示す。前記リフトアップトレイ５は、図示しない案内手段によって、引出し部材４上で、水平に昇降変位自在となっており、その一端または両端（図１，２では一端）には、昇降機構１０が設けられている。
【００２３】
前記昇降機構１０は、前記リフトアップトレイ５の底板と一体で、したがって前記水平に昇降変位自在で、該底板を支える支持部材１１と、前記支持部材１１に巻掛けられるワイヤ１２と、前記ワイヤ１２の一端を前記引出し部材４上の固定位置に固定するピン１３と、前記ワイヤ１２の他端が巻掛けられるプーリ１４と、前記プーリ１４に取付けられる連結部材１５と、前記連結部材１５に噛合う本体３側の連結部材１６と、前記連結部材１６を回転駆動するモータ１７と、前記連結部材１６とモータ１７との間に介在されるワンウェイクラッチ１８とを備えて構成される。
【００２４】
前記モータ１７は前記リフトアップトレイ５の上昇方向にのみ回転し、前記ウェイクラッチ１８は前記モータ１７の前記リフトアップトレイ５の上昇方向の回転力のみを伝達する。したがって、モータ１７が回転することでワイヤ１２が巻上げられ、前記リフトアップトレイ５が上昇し、モータ１７が停止するとその状態を維持し、引出し部材４が本体３から引出されて連結部材１５，１６間の連結が外れると、プーリ１４はリフトアップトレイ５の重量によって逆転し、ワイヤ１２が緩められ、前記リフトアップトレイ５が下降する。
【００２５】
一方、前記リフトアップトレイ５に積層して収納された用紙６の最上面には、滑りが少なく、高速機に好適な全周ローラから成るピックアップローラ７が接触している。ピックアップローラ７は、一対の支持アーム２１に回転自在に枢支されており、またこの支持アーム２１を介して、前後方向に延びる軸２２に支持され、上下方向に揺動自在であり、かつ図示しないばねなどの弾性部材によって、下方、すなわち用紙６方向にバイアスされている。
【００２６】
前記ピックアップローラ７と搬送ローラ９とは、それぞれに連結されたプーリ２３，２４間がベルト２５で連結されることで、相互に一体で回転するようになっており、その搬送ローラ９は前記軸２２と一体で回転し、前記軸２２はモータ２６によって、図３の矢符２７で示す用紙６の取出し方向にのみ回転駆動される。前記搬送ローラ９には、捌きローラ８が圧着しており、捌きローラ８はワンウェイクラッチ２８によって、前記搬送ローラ８の従動方向、すなわち図３の矢符２９で示す用紙６の排出方向にのみ回転可能となっている。
【００２７】
したがって、リフトアップトレイ５からピックアップローラ７によって用紙６が１枚繰出されると、この捌きローラ８はその用紙６の下面に密着して従動回転して、用紙６は本体３側に給送される。これに対して、リフトアップトレイ５から用紙６が複数枚繰出されると、最上面の用紙のみ搬送ローラ９によって本体３側に給送され、それより下層の用紙は、この捌きローラ８で給送が阻止される。
【００２８】
上述のように構成される給紙装置１において、注目すべきは、本発明では、前記引出し部材４側の連結部材１５に前記捌きローラ８を連動させ、前記リフトアップトレイ５の下降時に前記捌きローラ８を逆転させることである。このとき、搬送ローラ９を駆動するモータ２６は停止しており、該搬送ローラ９は捌きローラ８に従動回転する。
【００２９】
このため、前記連結部材１５には、前記プーリ１４とともに、もう１つのプーリ３１が取付けられており、前記ワンウェイクラッチ２８に取付けられたプーリ３２との間に、ベルト３３が巻掛けられている。前記搬送ローラ９および捌きローラ８は、それぞれ水平に伸びる上下一対の用紙ガイド３４，３５に形成した開口部分から用紙搬送路に突出し、ニップ部を形成する。前記用紙ガイド３４，３５の出口付近、すなわちこの給紙装置１の出口付近には、用紙６の存在の有無を検出するセンサ３６が設けられている。前記プーリ３１，３２およびベルト３３は、連動部材を構成する。
【００３０】
前記リフトアップトレイ５の下降時における捌きローラ８の逆転量は、たとえば最小でローラ８，９のニップ部からセンサ３６までの距離、最長で用紙最大サイズ分を該捌きローラ８の周長で除算した値などであり、最もリフトアップトレイ５の下降量が少ないとき、すなわち用紙６の最大積載量であるときの下降量と、前記所望の逆転量とから、プーリ３１，３２の径の比などを設定すればよい。また、モータ１７からプーリ１４までの間に、適宜減速などのための歯車を介在するようにしてもよい。
【００３１】
このように構成することで、ジャム処理時には、本体３側へ給送されていた用紙が、引出し部材４の引出しによるリフトアップトレイ５の下降に連動した捌きローラ８の逆転によって、該リフトアップトレイ５側に引き戻されて捌きローラ８から外れるので、用紙の破断を未然に防止し、ジャムを生じた用紙を確実に取り除くことができる。
【００３２】
また、注目すべきは、本発明では、前記捌きローラ８を支持する支持部材である下方側の用紙ガイド３５は、図示しない案内手段によって引出し部材４の上下方向に変位自在となっており、かつ底部がばね３７によって上昇方向にバイアスされている。そして、前記用紙ガイド３５の底部には係合部材３８が設けられており、この係合部材３８は、リフトアップトレイ５の下降に伴い、最下降位置の手前からリフトアップトレイ５に係合する。したがって、前記リフトアップトレイ５が下降して、最下降位置の手前からは用紙ガイド３５も下降し、図５で示すように、前記捌きローラ８が搬送ローラ９から離反する。
【００３３】
したがって、リフトアップトレイ５が最下降位置に下降した状態では、捌きローラ８の圧力は解除されており、用紙６を確実にリフトアップトレイ５内に落とし込むことができる。
【００３４】
さらにまた、引出し部材４を引出すことで、ジャムが発生した用紙はリフトアップトレイ５側に戻っているので、本体３の側扉４０を開放してジャム処理を行う必要がなく、該側扉４０側に縦搬送路を形成し、前記リフトアップトレイ５や、その下方のトレイ４１，４２に対して、その縦搬送路を挟んで、反対側の外部に大容量トレイ４３を増設し、前記縦搬送路を共有することができるようになる。
【図面の簡単な説明】
【００３５】
【図１】本発明の実施の一形態に係る給紙装置の構成を示す斜視図である。
【図２】図１の一部分を拡大して示す斜視図である。
【図３】前記給紙装置の一部分の断面図である。
【図４】前記給紙装置を搭載する画像形成装置の正面図である。
【図５】捌きローラの離反動作を説明する前記図３に対応した給紙装置の一部分の断面図である。
【符号の説明】
【００３６】
１    給紙装置
２    画像形成装置
３    本体
４    引出し部材
５    リフトアップトレイ
６    用紙
７    ピックアップローラ
８    捌きローラ
９    搬送ローラ
１０    昇降機構
１１    支持部材
１２    ワイヤ
１３    ピン
１４，２３，２４，３１，３２    プーリ
１５，１６    連結部材
１７，２６    モータ
１８    ワンウェイクラッチ
２１    支持アーム
２２    軸
２５，３３    ベルト
２８    ワンウェイクラッチ
３４，３５    用紙ガイド
３６    センサ
３７    ばね
３８    係合部材
４０    側扉
４１，４２    トレイ
４３    大容量トレイ
【図１】
2007022787.tif 000003
【図２】
2007022787.tif 000004
【図３】
2007022787.tif 000005
【図４】
2007022787.tif 000006
【図５】
2007022787.tif 000007